(57)【要約】【課題】ユーザが座る座席が着座姿勢判定用のセンサを持たなくても、ユーザの着座姿勢の種類を判定できるようにする。【解決手段】シート状装置１００は、座席の座面から背もたれにわたる範囲をカバーするサイズであり、座面と背もたれに相当する位置にそれぞれ１以上の荷重センサ１０２とヒータ１０４ａ又は１０４ｂを内蔵する。シート状装置１００は、座席に対して着脱自在であり、様々な座席に設置可能である。シート状装置１００を座席に設置してユーザが腰掛けると、図示省略した制御部が、各荷重センサ１０２の検出値の組合せから、そのユーザの着座姿勢の種類を判定し、判定した姿勢種類に応じて、ヒータ１０４ａ又は１０４ｂ、あるいは近くのパーソナルコンピュータを制御する。【選択図】図１
2019130230.tif 000002
【特許請求の範囲】
【請求項１】
座面から背もたれ面にわたって掛けられ、ユーザの前記座面への着座の有無及び前記背もたれ面へのもたれかかりの有無を検知できるセンサを備えるシート状装置と、
前記センサからの信号により前記ユーザの着座姿勢の種類を判定する判定手段と、
判定された着座姿勢の種類に応じて制御対象を制御する制御手段と、
を含む処理システム。
【請求項２】
前記判定手段は、前記センサからの信号が、前記ユーザが前記座面に着座し且つ前記背もたれ面へもたれかかっていないことを示す場合、前記ユーザの着座姿勢の種類が、前記ユーザが集中状態であることを示す集中姿勢であると判定する、請求項１に記載の処理システム。
【請求項３】
前記制御対象は、前記シート状装置と通信して接続されている機器の表示画面であり、
前記着座姿勢の種類が前記集中姿勢であると前記判定手段が判定した場合、前記制御手段は、前記表示画面の明るさを前記集中姿勢以外の場合よりも上げる制御を行う、請求項２に記載の処理システム。
【請求項４】
前記制御対象は、前記シート状装置と通信して接続されている機器の表示画面であり、
前記着座姿勢の種類が前記集中姿勢であると前記判定手段が判定した場合、前記制御手段は、前記表示画面を前記集中姿勢以外の場合よりも縮小表示する制御を行う、請求項２又は３に記載の処理システム。
【請求項５】
前記制御対象は、前記シート状装置に設けられたヒータであり、
前記着座姿勢の種類が前記集中姿勢に変化したと前記判定手段が判定した場合、前記制御手段は、前記ヒータの温度を所定温度まで上昇させる制御を行う、請求項２〜４のいずれか１項に記載の処理システム。
【請求項６】
前記着座姿勢の種類が前記集中姿勢に変化したと前記判定手段が判定した場合の前記制御手段による前記ヒータの温度を上昇させる制御では、前記着座姿勢の種類がリラックス姿勢に変化したと前記判定手段が判定した場合の前記ヒータの温度の上昇速度よりも緩やかに前記ヒータの温度を上昇させる、請求項５に記載の処理システム。
【請求項７】
前記判定手段は、前記センサからの信号が、前記ユーザが前記座面に着座し且つ前記背もたれ面へもたれかかっていることを示す場合、前記ユーザの着座姿勢の種類が、前記ユーザがリラックス状態であることを示すリラックス姿勢であると判定する、請求項１に記載の処理システム。
【請求項８】
前記制御対象は、前記シート状装置と通信して接続されている機器の表示画面であり、
前記着座姿勢の種類が前記リラックス姿勢であると前記判定手段が判定した場合、前記制御手段は、前記表示画面の明るさを前記リラックス姿勢以外の場合よりも下げる制御を行う、請求項７に記載の処理システム。
【請求項９】
前記制御対象は、前記シート状装置と通信して接続されている機器の表示画面であり、
前記着座姿勢の種類が前記リラックス姿勢であると前記判定手段が判定した場合、前記制御手段は、前記表示画面を前記リラックス姿勢以外の場合よりも拡大表示する制御を行う、請求項７又は８に記載の処理システム。
【請求項１０】
前記制御対象は、前記シート状装置に設けられたヒータであり、
前記着座姿勢の種類が前記リラックス姿勢に変化したと前記判定手段が判定した場合、前記制御手段は、前記ヒータの温度を所定温度まで上昇させる制御を行う、請求項７〜９のいずれか１項に記載の処理システム。
【請求項１１】
前記制御対象は、前記シート状装置と通信して接続されている機器であり、
前記着座姿勢の種類が前記リラックス姿勢である前記判定手段が判定した場合、前記制御手段は、前記機器にて所定のイベントが生じた場合に、前記機器に近接通信接続された前記ユーザの携帯端末に対して前記イベントの発生を通知するよう前記機器を制御する、請求項７〜１０のいずれか１項に記載の処理システム。
【請求項１２】
前記判定手段は、前記センサからの信号が、前記ユーザが前記座面に着座し且つ前記背もたれ面へもたれかかっていることを示している場合において、前記シート状装置と通信して接続されている機器を前記ユーザが操作中でない場合には、前記ユーザの着座姿勢の種類が、前記ユーザがリラックス状態であることを示すリラックス姿勢であると判定し、前記機器を前記ユーザが操作中である場合には、前記ユーザの着座姿勢の種類が、エンジニア座りであると判定する、請求項７〜１１のいずれか１項に記載の処理システム。
【請求項１３】
前記判定手段は、前記センサの信号から、前記ユーザの着座姿勢の種類が所定の悪い姿勢に該当すると判定した場合、当該悪い姿勢に対応する所定の姿勢矯正支援制御を行う、請求項１〜１２のいずれか１項に記載の処理システム。
【請求項１４】
前記制御対象は、前記シート状装置に設けられたアクチュエータであり、
前記制御手段は、前記姿勢矯正支援制御として、判定した前記悪い姿勢に対応する態様で前記アクチュエータを動作させる、請求項１３に記載の処理システム。
【発明の詳細な説明】
【技術分野】
【０００１】
本発明は、処理システムに関する。
【背景技術】
【０００２】
特許文献１に開示された装置は、着座者の座への荷重を支持する荷重支持面を傾斜させると共に任意の傾斜角度で固定可能な電動の座傾動手段と、着座者の荷重支持面への荷重のバランスを検出する座荷重センサと、座荷重センサからの検出結果を受けて荷重支持面の荷重が大きく掛かっている方を高くするように座傾動手段を作動させる矯正制御手段５と、定期的に座傾動手段を作動させる定期制御手段とを備える。
【０００３】
特許文献２に開示された椅子は、椅子の座部と背もたれ部との少なくともいずれかに設けられていて、着座者の体と接触を検出可能とする感知センサと、感知センサの検出結果を基に、着座者の姿勢が正しいか否かを判定する判定部と、判定部にて着座者の姿勢が正しくないと判断された際に、椅子の周囲に配備された電化製品を制御する制御部と、が設けられている。
【０００４】
特許文献３には、膝下への血液や体液の流れの促進を図る椅子が開示されている。この椅子は、脚に対して左右方向に回転可能に取り付けられた座と、脚に取り付けられた移動手段を備えた椅子であって、座の着座者の大腿部を支える位置に振動体を組み込んでいる。
【０００５】
特許文献４に開示された学習机は、椅子の座部の後部又は背凭れ部あるいは座部の後部と背凭れ部の双方の所定位置に着座者に対する接触感知センサを設け、着座者のでん部又は背中あるいはでん部と背中の双方が接触感知センサに対して接触状態、非接触状態の何れにあるかを監視し、着座者のでん部又は背中が接触感知センサに接触状態のみゲーム等の使用時間を積算し、一定時間非接触状態にあるとき警報を発してなる。
【先行技術文献】
【特許文献】
【０００６】
【特許文献１】特開２００２−３３６０９５号公報
【特許文献２】特開２０１７−０２３４７５号公報
【特許文献３】特開２００３−１０２８０１号公報
【特許文献４】特開２００８−２６４１８８号公報
【発明の概要】
【発明が解決しようとする課題】
【０００７】
本発明は、ユーザが座る座席が着座姿勢判定用のセンサを持たなくても、ユーザの着座姿勢の種類を判定できるようにすることを目的とする。
【課題を解決するための手段】
【０００８】
請求項１に係る発明は、座面から背もたれ面にわたって掛けられ、ユーザの前記座面への着座の有無及び前記背もたれ面へのもたれかかりの有無を検知できるセンサを備えるシート状装置と、前記センサからの信号により前記ユーザの着座姿勢の種類を判定する判定手段と、判定された着座姿勢の種類に応じて制御対象を制御する制御手段と、を含む処理システムである。
【０００９】
請求項２に係る発明は、前記判定手段は、前記センサからの信号が、前記ユーザが前記座面に着座し且つ前記背もたれ面へもたれかかっていないことを示す場合、前記ユーザの着座姿勢の種類が、前記ユーザが集中状態であることを示す集中姿勢であると判定する、請求項１に記載の処理システムである。
【００１０】
請求項３に係る発明は、前記制御対象は、前記シート状装置と通信して接続されている機器の表示画面であり、前記着座姿勢の種類が前記集中姿勢であると前記判定手段が判定した場合、前記制御手段は、前記表示画面の明るさを前記集中姿勢以外の場合よりも上げる制御を行う、請求項２に記載の処理システムである
【００１１】
請求項４に係る発明は、前記制御対象は、前記シート状装置と通信して接続されている機器の表示画面であり、前記着座姿勢の種類が前記集中姿勢であると前記判定手段が判定した場合、前記制御手段は、前記表示画面を前記集中姿勢以外の場合よりも縮小表示する制御を行う、請求項２又は３に記載の処理システムである。
【００１２】
請求項５に係る発明は、前記制御対象は、前記シート状装置に設けられたヒータであり、前記着座姿勢の種類が前記集中姿勢に変化したと前記判定手段が判定した場合、前記制御手段は、前記ヒータの温度を所定温度まで上昇させる制御を行う、請求項２〜４のいずれか１項に記載の処理システムである。
【００１３】
請求項６に係る発明は、前記着座姿勢の種類が前記集中姿勢に変化したと前記判定手段が判定した場合の前記制御手段による前記ヒータの温度を上昇させる制御では、前記着座姿勢の種類がリラックス姿勢に変化したと前記判定手段が判定した場合の前記ヒータの温度の上昇速度よりも緩やかに前記ヒータの温度を上昇させる、請求項５に記載の処理システムである。
【００１４】
請求項７に係る発明は、前記判定手段は、前記センサからの信号が、前記ユーザが前記座面に着座し且つ前記背もたれ面へもたれかかっていることを示す場合、前記ユーザの着座姿勢の種類が、前記ユーザがリラックス状態であることを示すリラックス姿勢であると判定する、請求項１に記載の処理システム。
【００１５】
請求項８に係る発明は、前記制御対象は、前記シート状装置と通信して接続されている機器の表示画面であり、前記着座姿勢の種類が前記リラックス姿勢であると前記判定手段が判定した場合、前記制御手段は、前記表示画面の明るさを前記リラックス姿勢以外の場合よりも下げる制御を行う、請求項７に記載の処理システムである。
【００１６】
請求項９に係る発明は、前記制御対象は、前記シート状装置と通信して接続されている機器の表示画面であり、前記着座姿勢の種類が前記リラックス姿勢であると前記判定手段が判定した場合、前記制御手段は、前記表示画面を前記リラックス姿勢以外の場合よりも拡大表示する制御を行う、請求項７又は８に記載の処理システムである。
【００１７】
請求項１０に係る発明は、前記制御対象は、前記シート状装置に設けられたヒータであり、前記着座姿勢の種類が前記リラックス姿勢に変化したと前記判定手段が判定した場合、前記制御手段は、前記ヒータの温度を所定温度まで上昇させる制御を行う、請求項７〜９のいずれか１項に記載の処理システムである。
【００１８】
請求項１１に係る発明は、前記制御対象は、前記シート状装置と通信して接続されている機器であり、前記着座姿勢の種類が前記リラックス姿勢である前記判定手段が判定した場合、前記制御手段は、前記機器にて所定のイベントが生じた場合に、前記機器に近接通信接続された前記ユーザの携帯端末に対して前記イベントの発生を通知するよう前記機器を制御する、請求項７〜１０のいずれか１項に記載の処理システムである。
【００１９】
請求項１２に係る発明は、前記判定手段は、前記センサからの信号が、前記ユーザが前記座面に着座し且つ前記背もたれ面へもたれかかっていることを示している場合において、前記シート状装置と通信して接続されている機器を前記ユーザが操作中でない場合には、前記ユーザの着座姿勢の種類が、前記ユーザがリラックス状態であることを示すリラックス姿勢であると判定し、前記機器を前記ユーザが操作中である場合には、前記ユーザの着座姿勢の種類が、エンジニア座りであると判定する、請求項７〜１１のいずれか１項に記載の処理システムである。
【００２０】
請求項１３に係る発明は、前記判定手段は、前記センサの信号から、前記ユーザの着座姿勢の種類が所定の悪い姿勢に該当すると判定した場合、当該悪い姿勢に対応する所定の姿勢矯正支援制御を行う、請求項１〜１２のいずれか１項に記載の処理システムである。
【００２１】
請求項１４に係る発明は、前記制御対象は、前記シート状装置に設けられたアクチュエータであり、前記制御手段は、前記姿勢矯正支援制御として、判定した前記悪い姿勢に対応する態様で前記アクチュエータを動作させる、請求項１３に記載の処理システムである。
【発明の効果】
【００２２】
請求項１に係る発明によれば、ユーザが座る座席が着座姿勢判定用のセンサを持たなくても、ユーザの着座姿勢の種類を判定できる。
【００２３】
請求項２に係る発明によれば、ユーザが集中姿勢にあることを判定できる。
【００２４】
請求項３に係る発明によれば、集中姿勢にあるユーザにとってコンピュータの画面を見やすくすることができる。
【００２５】
請求項４に係る発明によれば、集中姿勢にあるユーザに対してより多くの情報を提供することができる。
【００２６】
請求項５に係る発明によれば、集中姿勢にあるユーザの血行を向上させ、集中力の強化に資することができる。
【００２７】
請求項６に係る発明によれば、ヒータの温度を急激に上昇させる場合に比べて、集中姿勢に変わったユーザの集中を削ぎにくい形でヒータを加温することができる。
【００２８】
請求項７に係る発明によれば、ユーザがリラックス姿勢にあることを判定できる。
【００２９】
請求項８に係る発明によれば、コンピュータの画面の明るさを維持する場合よりも、ユーザのリラックス状態を妨げにくくすることができる。
【００３０】
請求項９に係る発明によれば、表示倍率を変えない場合よりも、リラックス姿勢で背もたれにもたれているユーザに見やすい画面を提供することできる。
【００３１】
請求項１０に係る発明によれば、リラックス姿勢にあるユーザに対して加温によりリラックス感を高めることができる。
【００３２】
請求項１１に係る発明によれば、コンピュータで生じたイベントを、リラックスしているユーザの手元の携帯端末経由でユーザに知らせることができる。
【００３３】
請求項１２に係る発明によれば、リラックス姿勢とエンジニア座りを区別して判定することができる。
【００３４】
請求項１３又は１４に係る発明によれば、悪い姿勢の矯正を支援することができる。
【図面の簡単な説明】
【００３５】
【図１】シート状装置の例を模式的に示す図である。
【図２】シート状装置の使用状態を模式的に示す図である。
【図３】シート状装置の機能構成を例示する図である。
【図４】シート状装置と、ＰＣ（パーソナルコンピュータ）及び携帯端末からなるシステムの機能構成を例示する図である。
【図５】着座姿勢の種類ごとに、判定の仕方、及び制御内容を例示する図である。
【図６】シート状装置の初期設定の処理手順を例示する図である。
【図７】着座姿勢の判定とそれに応じた制御の手順を例示する図である。
【図８】シート状装置に対するエアバッグの設置例を示す図である。
【図９】悪い着座姿勢の判定の仕方と、姿勢矯正のための制御内容を例示する図である。
【発明を実施するための形態】
【００３６】
図１及び図２を参照して、本実施形態のシート状装置１００について説明する。図１及び図２に示すように、シート状装置１００は、例えば、人の横幅程度の幅と人の首から太ももの付け根まで程度の長さ（この横幅及び長さはあくまで一例）を持つ、矩形の比較的薄い装置である。ここでいう「比較的薄い」とは、シート状装置１００を巻いたり折り畳んだりして持ち運びできる程度の厚みであることを意味する。シート状装置１００は、例えば、椅子２０の座部２２から背もたれ２４にわたる範囲に掛けて使用される。なお、図２では、シート状装置１００を目立つように実際の寸法より太い幅で示している。
【００３７】
例示するシート状装置１００は、大きく分けて、椅子２０の座部２２の上面に置かれる部分と、背もたれ２４に面する部分とに分けることができる。前者の部分をシート状装置１００の「座部」と呼び、後者を「背もたれ部」と呼ぶ。図示例では、シート状装置１００の座部には２つの荷重センサ１０２が設けられ、それら２つの荷重センサ１０２の間にヒータ１０４ａが設けられている。また、シート状装置１００の背もたれ部には、荷重センサ１０２とヒータ１０４ｂが設けられている。荷重センサ１０２群とヒータ１０４ａ及び１０４ｂは、シート状装置１００の外装生地内に内包される。
【００３８】
椅子２０の座部２２及び背もたれ２４に対してシート状装置１００の座部及び背もたれ部を正しい位置関係で設置した状態で、ユーザが標準的な姿勢で腰掛けた（すなわち深く腰掛けた）場合に、座部のヒータ１０４ａは、図２に示すように、ユーザ１０の太ももの裏の位置３０に位置し、背もたれ部のヒータ１０４ｂは、ユーザの腰部に面する位置３２に位置する。また、座部の２つの荷重センサ１０２の一方は、椅子２０の座部２２の前方、すなわちユーザの太ももの膝側の部分の下に位置し、もう一方は、ユーザの臀部の下に位置する。また、背もたれ部の荷重センサ１０２は、ユーザの背中の上下方向についての中央部分（腰より上の部分）に位置する。
【００３９】
シート状装置１００は、収納や運搬のために全体的に巻き取ることが可能な柔軟な材質で構成してもよい。この場合、シート状装置１００は、椅子２０の背もたれ２４の表面に対して外装生地の摩擦力で（あるいは、更に、シート状装置１００の一部を背もたれ２４の上部を跨いで裏側まで掛けることによる重さのバランスを利用して）付着し、下にずり落ちない。また、別の態様として、シート状装置１００の少なくとも背もたれ２４に面する部分を、自立可能な程度の硬さを持つ構成としてもよい。この場合、シート状装置１００は、収納や運搬等のために例えば背もたれ部と座部の境界で二つ折りにできるようにしてもよい。
【００４０】
シート状装置１００は、椅子２０等の座席に対して着脱自在であり、ユーザが座る様々な座席に設置可能である。
【００４１】
次に、図３を参照して、シート状装置１００の電気的機能構成の一例を説明する。前述の通り、シート状装置１００は、３つの荷重センサ１０２と、２つのヒータ１０４ａ及び１０４ｂを内蔵している。更に、シート状装置１００は、制御部１１０と近接通信部１１２とを備える。
【００４２】
荷重センサ１０２は、当該センサに掛かる力の大きさを検知するセンサである。荷重センサ１０２は、圧力センサであってもよい。ヒータ１０４ａ及び１０４ｂは、電力を熱に変換する装置である。近接通信部１１２は、所定の近接通信規格に従った通信を行う。近接通信部１１２が用いる近接通信規格としては、例えばBluetooth（登録商標）、zigbee（商標）、z-wave（商標）等のパーソナルエリア（例えば数十ｃｍ〜数ｍの範囲）をターゲットとする無線通信規格がある。制御部１１０は、それら荷重センサ１０２、ヒータ１０４ａ及び１０４ｂを制御すると共に、近接通信部１１２を用いて他の装置と近接通信を行う。制御部１１０が近接通信部１１２を用いて通信する通信相手としては、例えば、ユーザの席（椅子２０）の近くの机上にあるＰＣ（パーソナルコンピュータ）や、ユーザが携帯しているスマートフォンやタブレット端末等の携帯端末がある。
【００４３】
シート状装置１００内の各要素は、商用電源等の外部電源及び／又は当該部材が内蔵する電池（例えば充電池）から電力供給を受けて動作する。ここでいう外部電源からの電力供給には、商用電源のコンセントからの供給以外に、例えば、ＵＳＢ（Universal Serial Bus）（商標）等の給電機能を持つインタフェースを介するパーソナルコンピュータその他の機器からの電力供給も含まれ得る。
【００４４】
次に、図４を参照して、本実施形態のシステム構成の一例を説明する。ここでは、一例として、ユーザが仕事場でシート状装置１００を使用することを想定する。シート状装置１００はユーザの椅子２０に対して設置され、その椅子の前にある机上にはユーザのＰＣ２００が置かれている。また、ユーザは、自分の携帯端末２５０を携帯しているものとする。
【００４５】
ＰＣ２００は、近接通信部２０２を備えており、この近接通信部２０２により、シート状装置１００及び携帯端末２５０の近接通信部１１２及び２５２と通信可能となっている。シート状装置１００、ＰＣ２００及び携帯端末２５０には、それぞれ、それら３つの装置のうちの他の２つが、近接通信部１１２、２０２、及び２５２による近接通信ネットワークの参加者として設定されている。
【００４６】
またＰＣ２００には、シート連携アプリ２０４がインストールされている。シート連携アプリ２０４は、シート状装置１００の制御部１１０と連携してＰＣ２００の制御やその他の処理を実行するアプリケーションソフトウエアである。シート連携アプリ２０４が行う制御や処理については、後で詳しい例を説明する。またＰＣ２００には、メールクライアント２０６、グループウエア２０８等の各種のソフトウエアがインストールされていてもよい。
【００４７】
携帯端末２５０は、近接通信部２５２を備える。また、携帯端末２５０には、シート連携アプリ２５４等のソフトウエアがインストールされている。シート連携アプリ２５４は、シート状装置１００を利用した処理を実行するソフトウエアである。一つの例では、シート連携アプリ２５４は、ＰＣ２００のシート連携アプリ２０４から近接通信により情報を受け取り、その情報に基づいて処理を実行する。また、別の例として、シート連携アプリ２５４は、シート状装置１００から近接通信により直接情報を受け取り、その情報に従って処理を実行してもよい。シート連携アプリ２５４が実行する処理については、後で詳しい例を説明する。
【００４８】
次に、本実施形態のシステムが行う処理について説明する。
【００４９】
本実施形態のシステムは、シート状装置１００の荷重センサ１０２群の検出値に基づいて、椅子２０に対するユーザの着座姿勢の種類を判定する。そして、その判定の結果に応じて、シート状装置１００、ＰＣ２００、及び携帯端末２５０のうちの少なくとも１つを制御する。
【００５０】
本実施形態では、一つの例として、図５に例示するように、着座姿勢の種類として、標準姿勢、集中姿勢、リラックス姿勢の３種類を想定する。これら３種類の姿勢を、図１等に示した３つの荷重センサ１０２の検出値の組合せから判別する。区別のために、着座したユーザの膝の下に位置する荷重センサ１０２の番号を（１）、臀部の下に位置する荷重センサ１０２の番号を（２）、背もたれ部にある荷重センサ１０２の番号を（３）とする。
【００５１】
標準姿勢は、ユーザが椅子２０に深く腰掛け、背筋を伸ばした正しい上半身姿勢でいる状態であり、その椅子２０の正しい座り方として想定されている姿勢である。ユーザが標準姿勢をとっている場合、シート状装置１００の３つの荷重センサ１０２が検出する荷重の程度は、図５の中段に示すように、（１）、（２）、（３）の順に重い、重い、軽い、となる。標準姿勢では、ユーザが深く腰掛けているため座部２２上に位置する（１）及び（２）の荷重センサ１０２の検知荷重は重くなり、ユーザの背中は背もたれ２４に当たるものの強くはもたれないので（３）の荷重センサ１０２の検知荷重は軽くなる。
【００５２】
なお、図５に示すセンサ荷重の「重い」、「軽い」は、荷重センサ１０２が検知した荷重が所定の（すなわち、あらかじめ定めた）閾値よりも重いか軽いかの区別を示す。閾値は、（１）〜（３）の荷重センサ１０２ごとに個別に設定可能である。
【００５３】
集中姿勢は、椅子２０に着座したユーザが集中して作業を行っている場合の姿勢である。作業に集中しているユーザは、椅子２０の前の机上にある作業対象のＰＣ２００やノート等に対して前のめりの姿勢であることが多いと考えられる。このような前のめりの着座姿勢を集中姿勢と呼ぶ。ユーザが集中姿勢をとっている場合、シート状装置１００の３つの荷重センサ１０２が検出する荷重の程度は、図５の中段に示すように、（１）、（２）、（３）の順に重い、重い、なし、となる。すなわち、集中姿勢の場合、ユーザは椅子２０に深く腰掛けてはいるが、背中が背もたれ２４の面から離れているため、（１）及び（２）の荷重は重く、（３）の荷重は「なし」となる。
【００５４】
リラックス姿勢は、ユーザが椅子２０上でリラックスしている状態の姿勢である。この姿勢では、ユーザは標準姿勢よりも椅子２０に浅く腰掛け、背もたれ２４に強くもたれかかる。このため、臀部の下にある（２）の荷重センサ１０２の荷重は軽くなり、背もたれ２４に面する（３）の荷重センサ１０２の荷重は重くなる。
【００５５】
本実施形態では、このような判別ルールに従い、（１）、（２）、（３）の３つの荷重センサ１０２の検出値の組合せから、ユーザの姿勢がそれら３種類の姿勢のうちのいずれかに該当するかを判別する。この姿勢種類の判別は、シート状装置１００の制御部１１０が行ってもよいし、ＰＣ２００又は携帯端末２５０のシート連携アプリ２０４又は２５４が行ってもよい。
【００５６】
シート状装置１００の制御部１１０が姿勢種類の判別を行う例では、制御部１１０はその判別結果を近接通信部１１２経由で、ＰＣ２００のシート連携アプリ２０４、又は携帯端末２５０のシート連携アプリ２５４、又はその両方に通知する。この通知を受けたシート連携アプリ２０４又は２５４は、その通知が示す姿勢種類の判別結果に対応する制御を実行する。
【００５７】
ＰＣ２００又は携帯端末２５０のシート連携アプリ２０４又は２５４がユーザの姿勢種類を判別する例では、シート連携アプリ２０４又は２５４は、その判別結果を近接通信部２０２又は２５２経由で、シート状装置１００の制御部１１０に通知する。また、シート連携アプリ２０４又は２５４のうちの一方が姿勢種類の判別を行った場合、その判別を行った方が他方に対して判別結果を通知してもよい。
【００５８】
図５には、ユーザの着座姿勢の種類に応じた制御の例として、ＰＣ２００の画面の明るさ（画面輝度）、ＰＣ画面の表示倍率、ヒータ１０４ａ及び１０４ｂの温度、を制御する例を示している。
【００５９】
例えばＰＣ画面の明るさの制御では、まず、ユーザの着座姿勢が標準姿勢の場合は、ＰＣ２００の画面の明るさを通常の明るさ、すなわちＯＳ（オペレーティングシステム）に設定されている明るさ、のまま維持する。一方、ユーザが集中姿勢であると判定された場合、ＰＣ２００の画面を、通常の明るさよりも明るくする。これにより、画面表示内容の視認性が高まり、例えば後述する画面の縮小表示を行っても、表示内容の文字等が識別しやすくなる。また、ユーザがリラックス姿勢であると判定された場合、ＰＣ２００の画面を、通常の明るさよりも暗くする。これにより、ユーザに対する画面からの刺激が少なくなり、ユーザのリラックス状態を妨げにくい。
【００６０】
また、ＰＣ画面の表示倍率の制御では、一つの例では、ＰＣ２００の画面上で現在アクティブ状態である（すなわち現在、ユーザの操作対象となっている）アプリケーションのウインドウ内の表示の倍率を制御する。ユーザの着座姿勢が標準姿勢であると判定された場合は、そのウインドウの表示倍率を通常のまま、すなわちそのアプリケーションにユーザが設定した表示倍率のまま維持する。ユーザの姿勢が集中姿勢であると判定された場合は、そのウインドウ内の表示内容を縮小表示する。何倍の表示倍率まで縮小するかは、あらかじめ設定しておく。集中姿勢では、画面とユーザの距離が標準姿勢より近くなるので、縮小表示により文字や画像のサイズが小さくなっても、視認性の低下は少ない。むしろ、表示される情報の量が多くなり、集中しているユーザにとっての作業の効率向上が見込める。また、ユーザの姿勢がリラックス姿勢であると判定された場合、そのウインドウ内の表示内容を拡大表示する。何倍の表示倍率まで拡大するかは、あらかじめ設定しておく。リラックス姿勢では、ユーザから画面までの距離が標準姿勢より遠くなるので、拡大表示をすることで、ウインドウ内の表示内容がユーザに読み取りやすくなる。
【００６１】
また、ヒータ温度の制御では、まず、ユーザの着座姿勢が標準姿勢の場合は、ヒータ１０４ａ及び１０４ｂの温度を通常の温度、すなわちユーザが制御部１１０に設定した温度、のままに維持する。一方、ユーザが集中姿勢であると判定された場合、ヒータ１０４ａ及び１０４ｂの温度を、通常の温度よりも上げる。この温度上昇制御により、ヒータ１０４ａ又は１０４ｂからの熱でユーザの身体が温まって血行がよくなり、脳への血流が増大することによりユーザの集中力の向上が見込まれる。集中姿勢時のヒータ１０４ａ又は１０４ｂの温度は、所定の制御目標温度に保たれるように制御する。暑すぎるとかえってユーザの集中が削がれるので、制御目標温度は、例えばセ氏４０度前後のように、ユーザが暑すぎると感じない程度の温度とする。また、他の姿勢から集中姿勢に変わったときに余り急激にヒータ１０４ａ又は１０４ｂの温度を上昇させると、急激な温度上昇に気をとられてユーザの集中が妨げられる懸念があるので、集中姿勢に変わったときのヒータ１０４ａ又は１０４ｂの温度は緩やかに（例えば後述するリラックス姿勢に変わったときの温度上昇と比べて緩やかに）上昇するよう制御する。また、集中姿勢の場合、ユーザの背中は背もたれ２４（ひいては腰部用のヒータ１０４ｂ）から離れているので、大腿用のヒータ１０４ａの温度は上昇させるが、腰部用のヒータ１０４ｂの温度は上昇させない（すなわち通常の温度で保温制御）ようにしてもよい。また、ユーザがリラックス姿勢であると判定された場合、ヒータ１０４ａ及び１０４ｂの温度を、通常の温度よりも上げる。この温度上昇制御により、ヒータ１０４ａ又は１０４ｂからの熱でユーザの身体が温まり、リラックス効果の増大が期待される。リラックス姿勢時のヒータ１０４ａ及び１０４ｂの制御目標温度は、集中姿勢時と同じでもよいし、異なっていてもよい。また、このときのヒータ１０４ａ及び１０４ｂの制御目標温度は、互いに異なっていてもよい。また、リラックス姿勢に変わったときには、集中を妨げる等の問題はないので、集中姿勢に変わったときの温度上昇の速度よりも急激に（例えばほぼ瞬間的に制御目標温度まで上げるなど）ヒータ１０４ａ又は１０４ｂの温度を上昇させるようにしてもよい。また、リラックス姿勢の場合は、ユーザの背中は背もたれ２４にもたれかかっているので、大腿用のヒータ１０４ａだけでなく、腰部用のヒータ１０４ｂの温度も上昇させる。
【００６２】
以上、図５を参照して、着座姿勢やそれに対応する制御対象（ＰＣ、ヒータ）への制御の例を説明したが、図５に示した例はあくまで一例に過ぎない。別の例として、リラックス姿勢におけるＰＣ２００の制御として次のような制御を行ってもよい。例えば、リラックス姿勢の場合に、ＰＣ２００の画面に、ユーザの精神を癒やす効果が期待される画像、例えば画面上を動き回るアニメーション等のキャラクターの画像を表示させてもよい。この画像の表示は、リラックス姿勢があらかじめ定めた時間（例えば３分）以上続いている場合に行うようにしてもよい。また別の例として、ユーザの着座姿勢がリラックス姿勢に変化したこと（あるいはそのリラックス姿勢が所定時間以上続いたこと）をトリガとして、ＰＣ２００の画面上でアクティブ状態であるアプリケーションで編集している文書ファイルを自動的に保存（セーブ）してもよい。また、ウィルスチェックやソフトウエアのアップデートのように比較的時間がかかる処理をリラックス姿勢時に実行する処理としてあらかじめ設定しておき、リラックス姿勢に変化した等のトリガに応じて、設定されているそれら処理を実行してもよい。
【００６３】
また、更に別の例として、リラックス姿勢の場合に、ＰＣ２００上で「特定のイベント」が発生した場合に、シート連携アプリ２０４がそのユーザの携帯端末２５０内のシート連携アプリ２５４に対して、そのイベントの発生を通知してもよい。どのイベントをこの通知の対象とするかは、例えばシート連携アプリ２０４に設定しておけばよい。この通知の対象となるイベントの例としては、電子メールの受信がある。例えば、ＰＣ２００にインストールされたメールクライアント２０６が、メールサーバに当該ユーザ宛の電子メールが着信したことを検知すると、シート連携アプリ２０４が新たな電子メールが着信した旨を示す通知を携帯端末２５０のシート連携アプリ２５４に送る。ここで、シート連携アプリ２０４は、メールクライアント２０６からメール新規着信を知らせる通知を受けること、又はシート連携アプリ２０４が新着メールの有無をメールクライアント２０６に例えば定期的に問い合わせること、等の方法により、ユーザ宛に電子メールの着信があったことを知る。例えば、ＰＣ２０が会社所有のものであり、メールクライアント２０６には、ユーザの会社用のメールアドレスが登録されているのに対し、携帯端末２５０はユーザ個人所有のものであり、セキュリティ上の理由等から、携帯端末２５０のメールクライアントには会社用のメールアドレス宛のメールは着信しない設定となっているとする。このような場合でも、ユーザは、椅子２０でリラックスしているときに会社用のメールアドレスに着信があると、ＰＣ２００のシート連携アプリ２０４が、メール着信があった旨を携帯端末２５０のシート連携アプリ２５４に通知する。この通知には、例えば会社用のメールアドレスに着信があったことを示すメッセージが含まれる。また、送信元の情報（メールアドレスや送信者名）などといったその着信メールが含む他の情報を、会社のセキュリティポリシーが許す範囲で、その通知に含めてもよい。シート連携アプリ２５４は、携帯端末２５０の画面にその通知を表示したり、バイブレーション動作で注意喚起したりすることで、ユーザにそのメール着信を知らせる。ユーザは、会社用のメールアドレスにメール着信があったことを携帯端末２５０で知ると、必要に応じて、ＰＣ２００上のメールクライアント２０６で、その着信メールの内容を確認する。
【００６４】
また、「特定のイベント」の別の例には、グループウエア２０８がそのユーザ宛の新規の通知を受け取るというものもある。ユーザ個人用の携帯端末２５０には、会社用のグループウエア用のアプリがインストールされていない場合が一般的と考えられる。そのような場合でも、ユーザがリラックス姿勢でくつろいでいるときにＰＣ２００のグループウエア２０８に対してそのユーザ宛の新規通知が着信すれば、ＰＣ２００のシート連携アプリ２０４から携帯端末２５０のシート連携アプリ２５４を介して、ユーザにその旨が通知される。ユーザは、その通知をトリガとして、必要に応じて、ＰＣ２００上で、グループウエア２０８に着信した通知を確認する。
【００６５】
また、「特定のイベント」は、メール着信等といったＰＣ２００への外部からの通知着信に限られず、ＰＣ２００内で閉じた処理に関するイベントであってもよい。例えば、リラックス姿勢に変わった時点でＰＣ２００上で実行中の処理（例えば動画その他のエンコード処理、ウィルスチェック、ソフトウエアアップデート）が完了したというイベントは、「特定のイベント」の一例である。
【００６６】
次に、図６を参照して、シート状装置１００の初期設定の手順を例示する。
【００６７】
この初期設定では、ユーザの姿勢の種別（標準姿勢、集中姿勢、リラックス姿勢）ごとのキャリブレーション（機器較正）を行う。キャリブレーションとしては、例えば、それら３つの姿勢を判別するための各荷重センサ１０２の閾値を算出し、制御部１１０又はシート連携アプリ２０４に設定する。例えば、図５に例示した、荷重センサ１０２の荷重検出値の「重い」、「軽い」、「なし」の切り分けのための閾値を設定するのである。概略的には、シート状装置１００を設置した状態の椅子２０に対して、上述した３つの姿勢で順にユーザに腰掛けてもらい、各々の姿勢での各荷重センサ１０２の荷重検出値を取得する。そして、それら各姿勢での各荷重センサ１０２の荷重検出値から、「重い」、「軽い」、「なし」を区別するための閾値を算出する。例えば、（２）番の荷重センサ１０２についての例では、標準姿勢及び集中姿勢のときの検出値（これらは「重い」場合に該当）と、リラックス姿勢のときの検出値（「軽い」場合に該当）との中間値を、「重い」と「軽い」を区別する閾値として決定する。
【００６８】
図６の初期設定の手順は、ユーザがシート状装置１００を椅子２０に設置し、例えばシート状装置１００に初期設定の実行を指示することで開始される。シート状装置１００及びＰＣ２００の近接通信部１１２及び２０２同士の間の相互接続の設定（例えばBluetoothにおけるペアリング）は、事前に済んでいるか、この時点で実行すればよい。
【００６９】
初期設定開始の指示を受け、シート状装置１００の制御部１１０は、初期設定処理を起動する（Ｓ１０２）。初期設定の起動は、ＰＣ２００と同期され、これによりＰＣ２００のシート連携アプリ２０４において、初期設定支援処理が起動される（Ｓ２０２）。この支援処理では、ユーザがとるべき姿勢を画面に案内表示する。図６の例では、標準姿勢、集中姿勢、リラックス姿勢の順（ただしこの順序自体はあくまで一例に過ぎない）にキャリブレーションを進めるので、まずシート連携アプリ２０４は、ＰＣ２００の画面に、ユーザに標準姿勢をとるよう促す案内表示を行う（Ｓ２０４）。この案内表示には、例えば、標準姿勢とはどのような着座姿勢であるかを説明する文章及び／又は図解が示される。ユーザは、この案内表示に従って、シート状装置１００が設置された椅子２０に対して標準姿勢で腰掛ける。シート状装置１００の制御部１１０は、シート連携アプリ２０４による標準姿勢の案内表示に同期して、標準姿勢についてのキャリブレーション処理を実行する（Ｓ１０４）。このキャリブレーション処理では、制御部１１０は、ユーザが椅子２０に腰掛けた状態（この状態では、（１）及び（２）の少なくとも一方の荷重センサ１０２がある程度以上の荷重を検知している）で、各荷重センサ１０２の検出値が安定する（例えば検出値が所定幅以内に収束する）のを待ち、各荷重センサ１０２の安定状態となった検出値を記録する。この記録が完了すると、制御部１１０からシート連携アプリ２０４に、標準姿勢についての処理の完了が通知される。
【００７０】
この通知に応じ、シート連携アプリ２０４は、次の集中姿勢を促す案内表示を行う（Ｓ２０６）。ユーザは、この案内表示したがって、椅子２０に対して集中姿勢で着座する。制御部１１０は、集中姿勢の案内表示の開始と同期して各荷重センサ１０２の検出値の監視を開始し、集中姿勢についてのキャリブレーション処理を実行する（Ｓ１０６）。すなわち、各荷重センサ１０２の検出値が安定するのを待ち、安定した状態での各荷重センサ１０２の検出値を記録する。制御部１１０はこの記録が完了するとシート連携アプリ２０４に完了通知を送り、シート連携アプリ２０４はこの通知を受け取ると、次のリラックス姿勢のための処理に移行する。
【００７１】
シート連携アプリ２０４は、次のリラックス姿勢を促す案内表示を行う（Ｓ２０８）。ユーザは、この案内表示したがって、椅子２０に対してリラックス姿勢で着座する。制御部１１０は、リラックス姿勢の案内表示の開始と同期してリラックス姿勢についてのキャリブレーション処理を実行する（Ｓ１０８）。すなわち、各荷重センサ１０２の検出値が安定するのを待ち、安定した状態での各荷重センサ１０２の検出値を記録する。そして制御部１１０は、各荷重センサ１０２について標準姿勢、集中姿勢、及びリラックス姿勢の各姿勢で記録した荷重検出値の組合せから、それら３つの姿勢を切り分けるための荷重検出値についての閾値を決定する。この閾値決定方法は上に例示した。そして、制御部１１０は、決定した各閾値を、設定情報の１つとして保持する。以上で初期設定処理は終了する。この例では、シート状装置１００の使用時には、例えば、制御部１１０が、保持している閾値の設定情報を用いて、各荷重センサ１０２の検出値から、ユーザの着座姿勢を判別する。
【００７２】
図６の例では、シート状装置１００の制御部１１０が閾値の決定を行ったが、この代わりに制御部１１０からＰＣ２００のシート連携アプリ２０４に対して各荷重センサ１０２の検出値を送信し、シート連携アプリ２０４が閾値の決定を行ってもよい。また、決定された閾値の情報を制御部１１０が保持する代わりに、シート連携アプリ２０４が保持してもよい。この場合、シート状装置１００の使用時には、各荷重センサ１０２の検出値を制御部１１０からＰＣ２００のシート連携アプリ２０４に送り、シート連携アプリ２０４が、送られてきた情報に基づきユーザの着座姿勢の種類を判定してもよい。
【００７３】
以上では、ユーザの着座姿勢に応じた制御の例を説明したが、シート状装置１００の荷重センサ１０２群の検知情報から、ユーザが椅子２０から離席していることも検知可能である。例えば、３つの荷重センサ１０２のすべてが荷重「なし」に該当する０乃至極めて低い値を示している場合に、ユーザが離席していると判定すればよい。このように離席の検知に応じて、離席時に対応した制御を行ってもよい。離席時の制御には、離席を検知すると直ちに実行される制御が含まれていてもよいし、離席の検知状態が所定時間継続した場合に初めて実行される制御が含まれていてもよい。
【００７４】
例えば、離席時の制御のトリガが生じた場合（例えば離席を検知した場合、あるいは離席状態が所定時間以上継続した場合）に、ヒータ１０４ａ及び１０４ｂに対する電力供給を遮断してもよい。また、そのトリガが生じた場合に、ＰＣ２００の画面ロックを実行してもよい。画面ロック状態では、シート連携アプリ２０４は、ＰＣ２００の表示装置に、ロック以前に表示されていた画面に代えて所定のロック画面（例えば離席中であることを示すメッセージを示した画面）を表示するか、画面表示をオフする。画面ロック状態は、所定のロック解除処理（例えばパスワードの入力）を行わないと解除されないようにしてもよい。
【００７５】
また、離席中の場合、シート連携アプリ２０４は、他のユーザからの音声による伝言メッセージを受け付けて保持してもよい。この場合、ロック画面には、音声で伝言を預かることができることを示すメッセージや、伝言入力の作業手順の説明等が表示されてもよい。この例では、離席していたユーザが席に戻って画面ロックを解除すると、シート連携アプリ２０４は、その離席の間に保存した伝言を、音声で再生したり、テキストに変換して画面表示したりする。
【００７６】
また、ウィルスチェックやソフトウエアのアップデートのように比較的時間がかかる処理を、離席中に実行する処理としてあらかじめ設定しておき、離席中と判定されるトリガが生じた場合に、シート連携アプリ２０４は、設定されているそれら処理を実行してもよい。また、ＰＣ２００のシート連携アプリ２０４は、ユーザが離席中の場合に、メールクライアント２０６やグループウエア２０８に新規のメールや通知が来たことを、シート状装置１００のシート連携アプリ２５４に通知してもよい。この場合の通知は、無線ＬＡＮ等を経由して行ってもよい。また、メールや通知が来たことを通知するだけでなく、メールクライアント２０６が受信したメールを携帯端末２５０に設定された当該ユーザのメールアカウントに転送したり、グループウエア２０８が受け取った通知の内容（例えばテキストデータ）を抽出し、その内容データを携帯端末２５０のシート連携アプリ２５４に転送したりしてもよい。また、シート連携アプリ２０４は、離席中に、メールクライアント２０６やグループウエア２０８がメールや通知を受信した等、ＰＣ２００で特定のイベントが発生した場合に、その旨を記録してもよい。この例では、シート連携アプリ２０４は、ユーザが席に戻ったとき（これは例えば画面ロックが解除されたことにより検知可能）に、離席中に記録したイベントを画面表示等でユーザに知らせてもよい。
【００７７】
次に、図７を参照して、シート状装置１００を使用している間の、本実施形態のシステムの処理手順の例を説明する。
【００７８】
制御部１１０又はシート連携アプリ２０４は、例えば定期的に、各荷重センサ１０２の検出値を取得し（Ｓ１０）、取得した検出値の組合せから、シート状装置１００が設置された椅子２０にユーザが着座しているか否かを判定する（Ｓ１２）。例えば、座部２２上に位置する荷重センサ１０２（図１に示した（１）及び（２））の両方の検出値が荷重「なし」に該当する場合、Ｓ１２の判定結果はＮｏ（着座していない）となる。逆に座部２２上に位置する荷重センサ１０２の少なくとも１つが所定値（この所定値はユーザの体重に連動して、例えば初期設定にて決定すればよい）以上の荷重が検知されていれば、Ｓ１２の判定結果はＹｅｓとなる。
【００７９】
Ｓ１２の判定結果がＹｅｓの場合、制御部１１０又はシート連携アプリ２０４は、Ｓ１０で取得した荷重センサ１０２の検出値の組合せから、例えば図５に例示した判定ルールに従って、ユーザの着座姿勢の種類を判定する（Ｓ１４）。制御部１１０又はシート連携アプリ２０４のうちの一方が着座姿勢の種類を判定する例では、その一方は、他方に対してその判定の結果を通知する。そして、制御部１１０及びシート連携アプリ２０４は、判定された着座姿勢の種類に対応する制御を実行する（Ｓ１６）。例えば、シート連携アプリ２０４は、上に例示したＰＣ２００の画面の明るさの制御やユーザ宛の新着メール等の携帯端末２５０側への通知（リラックス姿勢の場合）の制御を実行する。また、制御部１１０は、着座姿勢の種類に応じて、ヒータ１０４ａ及び１０４ｂの温度を制御する。
【００８０】
Ｓ１２の判定結果がＮｏの場合、制御部１１０又はシート連携アプリ２０４は、現在が離席モード（すなわち離席中）であるかどうかを判定する（Ｓ１８）。図７の例では、制御部１１０又はシート連携アプリ２０４は、離席状態（Ｓ１２の判定結果がＮｏであること）が所定時間継続（Ｓ２０の判定結果がＹｅｓ）してはじめて離席モードに移行し（Ｓ２２）、上に例示したヒータ１０４ａ等の電源遮断等の離席モードの制御を実行する（Ｓ２４）。Ｓ１２の判定結果がＮｏ（離席状態）と判定した場合でも、その判定が所定時間以上連続して継続していない時点（Ｓ２０の判定結果がＮｏ）では、離席モードには移行せず、離席モードの制御（Ｓ２４）は実行しない。なお、Ｓ１８で現在離席モードであると判定した場合には、制御部１１０又はシート連携アプリ２０４は、離席モードの制御を実行する（Ｓ２４）。
【００８１】
図８及び図９を参照して、変形例を説明する。この変形例では、シート状装置１００を用いてユーザの悪い姿勢を検知し、その悪い姿勢の矯正を促す。
【００８２】
この変形例では、図８に示すように、シート状装置１００の座部と背もたれ部にそれぞれエアバッグ１２０が内蔵されている。シート状装置１００の背もたれ部には、背骨の左右のそれぞれに対応する位置に、腰部から背中の上下方向についての中央部にかけて伸びるエアバッグ１２０（番号（１）及び（２））が設けられる。また、シート状装置１００の座部の、着座したユーザの大腿の下に対応する位置に、それぞれエアバッグ１２０（番号（３）及び（４））が設けられており、更に、椅子２０の前縁近傍に対応する位置（言い換えれば着座したユーザの大腿のうちの膝の近傍に対応する位置）に両腿をカバーするよう横向きにエアバッグ１２０（番号（５））が設けられている。図示は省略するが、シート状装置１００には、それら各エアバッグ１２０を個別に膨らませたり萎ませたりするために１以上のポンプが内蔵されている。制御部１１０は、それらポンプを制御することで、各エアバッグ１２０を個別に膨張、収縮させる。
【００８３】
この変形例では、図９に例示するように、「エンジニア座り」及び「猫背」という２つの悪い着座姿勢の種類を認識する。そして、認識した悪い姿勢の矯正のために、当該姿勢に対応するエアバッグ１２０の組を膨らませる。
【００８４】
エンジニア座りは、椅子２０に浅めに腰掛け、背もたれ２４にもたれかかりつつ、机上のＰＣ２００のキーボードやマウスを操作している着座姿勢である。この座り方自体は上述のリラックス姿勢と似ているが、キーボードやマウス等の机上の入力デバイスを操作している点がリラックス姿勢とは異なる。
【００８５】
エンジニア座りであるか否かは、シート状装置１００の制御部１１０とＰＣ２００のシート連携アプリ２０４とが協働して判定する。すなわち、シート連携アプリ２０４は、ＯＳ等と連携して、現在ユーザがキーボードやマウス等の机上の入力デバイスを操作しているか否かを調べ、制御部１１０は（１）〜（３）の３つの荷重センサ１０２からそれぞれ検出値を得る。そして、制御部１１０又はシート連携アプリ２０４は、（１）〜（３）の荷重センサ１０２の検出値がそれぞれ「重い」か「軽い」か「なし」かを判定し、その判定結果の組合せがエンジニア座りの条件（（１）が「重い」、（２）が「軽い」、（３）が「重い」）を満たすかを判定する。そして、制御部１１０又はシート連携アプリ２０４は、ユーザが現在机上の入力デバイスを操作している状態であり、かつ荷重センサ１０２の検出値の組合せが上記エンジニア座りの条件を満たしている場合に、現在のユーザの着座姿勢がエンジニア座りであると判定する。荷重センサ１０２の検出値の組合せが上記エンジニア座りの条件を満たしている場合でも、ユーザが現在、机上の入力デバイスを操作していない状態である場合は、ユーザの着座姿勢はリラックス姿勢であると判定してもよい。
【００８６】
猫背座りでは、例えば、ユーザは椅子２０にある程度深く腰掛け、背中は背もたれ２４に当たっているが丸まっている。背中の丸まりに応じて骨盤が後傾しているため、往々にして膝が高く上がりがちである。このため、３つの荷重センサ１０２の検出値のうち（１）が「軽い」、（２）が「重い」、（３）が「軽い」となっていることを、猫背座りの判断基準としてもよい。ここで、背中の位置の荷重センサ１０２（（３）番）の「軽い」の判定閾値は、標準姿勢の判定基準における同じ（３）番の「軽い」の閾値と異なっていてもよい。猫背座りの場合、背中が丸まるため、標準姿勢の場合よりも（３）番への荷重が大きくなりやすい。
【００８７】
図６の初期設定の手順で、ユーザに更にエンジニア座り、及び猫背座りの姿勢をとらせ、それら各姿勢での各荷重センサ１０２の検出値を記録してもよい。そして、初期設定時のエンジニア座り及び猫背座りについての荷重の検出値群と、同じく初期設定時に取得した標準姿勢等についての検出値群と組み合わせることで、例えば荷重センサ１０２ごとに、着座姿勢の各種類を特徴付ける検出値の範囲（あるいはそれ各範囲を区切る閾値）を求めればよい。図５及び図９の例では、荷重センサの検出値を「重い」、「軽い」、「なし」の３段階にレベル分けしているが、多くの着座姿勢の種類を区別するために４段階以上にレベル分けし、それらレベルを分けるための閾値を初期設定処理で求めてもよい。
【００８８】
また、シート状装置１００の背もたれ部に、複数の荷重センサ１０２を、例えば異なる高さの位置に設けてもよい。例えば、背中の中程の高さ（標準姿勢でも猫背でもユーザの背中が接触する高さ）と、背中の上部の高さ（標準姿勢では背中が接するが、猫背だと接しない高さ）とに、それぞれ荷重センサ１０２を設けることで、標準姿勢と猫背とを区別してもよい。
【００８９】
また、シート状装置１００の背もたれ部に、荷重センサ１０２の代わりに、高さ方向について例えば腰椎付近から肩甲骨付近まで分布する面状の圧力分布センサを設けてもよい。これにより、例えば、標準姿勢、集中姿勢、リラックス姿勢、猫背座り、エンジニア座りを、シート状装置１００の背もたれ部に対する圧力分布の違いにより識別できる。
【００９０】
各エアバッグ１２０の初期状態は完全に収縮した状態（内部の空気をすべて抜いた状態）である。判別された着座姿勢が、あらかじめ定められた悪い姿勢（この例では、エンジニア座りと猫背座り）以外の種類（例えば標準姿勢、集中姿勢、リラックス姿勢）である場合には、すべてのエアバッグ１２０が収縮状態に維持される。
【００９１】
ユーザの着座姿勢をエンジニア座りと判定した場合、制御部１１０は、図９に示す通り、（１）〜（４）番のエアバッグは収縮したままとし、（５）番のエアバッグ１２０を膨張させる。これにより、ユーザの大腿の前側（膝側）に、上の方に持ち上げる刺激が加えられる。この刺激は、ユーザに、深く腰掛けるよう気づかせる働きがある。また、このとき、シート連携アプリ２０４が、ＰＣ２００の表示装置に、エンジニア座りを直すよう案内する画面を表示してもよい。この案内画面には、例えば、エンジニア座りになっていることを示すメッセージ、エンジニア座りによる身体への悪影響の説明、エンジニア座りを矯正する方法（例えば椅子に深く座ること）の説明や図解、等が示される。制御部１１０は、エンジニア座りとの判定に応じて（５）番のエアバッグ１２０を膨張させた後、所定の膨張解除イベント（例えば膨張後に所定時間が経過、又はユーザの座り直しに伴う各荷重センサ１０２の検出値の変化等）が生じると、（５）番のエアバッグ１２０を収縮させる。
【００９２】
ユーザの着座姿勢が猫背座りと判定した場合、制御部１１０は、図９に示すように、（１）〜（４）番のエアバッグ１２０を膨張させる。腰の位置にある（１）及び（２）のエアバッグ１２０が膨張することで、腰が支えられ、後傾していた骨盤を「立てる」（すなわちほぼ直立した状態）方向に力が作用する。また、（３）及び（４）番のエアバッグ１２０が膨張することで、大腿が支えられ、大腿から臀部までの範囲が水平に近くなり、骨盤を立てやすい体勢となる。このような機序により、猫背姿勢を矯正する作用が期待される。また、このエアバッグ１２０の膨張と連動して、シート連携アプリ２０４がＰＣ２００の表示装置上に、猫背座りを直すための案内画面を表示してもよい。この画面は、例えば、猫背座りになっていることを示すメッセージ、猫背座りによる身体への悪影響の説明、猫背座りを矯正する方法（例えば骨盤の立て方）の説明や図解、等を示すものであってもよい。
【００９３】
以上に説明した変形例では、悪い着座姿勢を検出すると、その姿勢の矯正を促すようにエアバッグ１２０群を制御したが、これは一例に過ぎない。この代わりに、エアバッグ１２０を持たないシート状装置１００を用い、悪い着座姿勢を検出すると、画面表示や音声などでその矯正を促す情報を提供してもよい。例えば、姿勢矯正を促す画面表示は、現在姿勢が悪くなっていること、その悪い姿勢の矯正方法、等をメッセージ、図解等で示すものでよい。
【００９４】
また、エアバッグ１２０の代わりに、ユーザの大腿や背中に力又は刺激を与えることができる他の種類のアクチュエータを用いてもよい。
【００９５】
以上に説明した悪い姿勢の矯正支援の変形例は、上述した標準姿勢、集中姿勢、リラックス姿勢に対応した制御と組み合わせてもよい。
【００９６】
また、以上に説明した実施形態や変形例のシステムにおいて、ユーザの着座姿勢の判定結果をその判定の日時と対応付けて記録し、日次や月次等のように、所定長さの期間における着座姿勢を集計して評価を行ってもよい。評価方法は特に限定されない。例えば、着座姿勢の種類ごとに点数を定めておき、期間内にユーザがとった着座姿勢の点数とその姿勢をとっていた時間の積を、すべての着座姿勢にわたって総和し、その期間の長さで割ることで、その期間におけるユーザの着座姿勢についての評価点が得られる。この評価点の算出処理は、制御部１１０、シート連携アプリ２０４又は２５４のいずれが行ってもよい。また、インターネット上にユーザの着座姿勢の評価を行うサーバを設け、制御部１１０、シート連携アプリ２０４又は２５４からサーバに着座姿勢の判定結果を送り、サーバが着座姿勢の記録（日時と共に）と評価点の算出を行ってもよい。評価の結果は、シート連携アプリ２０４又は２５４により、ＰＣ２００又は携帯端末２５０の画面に表示される。
【００９７】
以上に説明した実施形態及び変形例は、あくまで一例に過ぎず、本発明の範囲内で様々な変形や改良が可能である。
【００９８】
例えば、実施形態や変形例に示した着座姿勢の種類はあくまで一例に過ぎない。それら以外の着座姿勢の種類を想定してもよいし、それらすべての着座姿勢を取り扱う必要もない。
【００９９】
また、着座姿勢の種類の判別を、インターネット上のサーバ又はクラウドコンピューティングシステムで実行してもよい。この場合、制御部１１０から直接、又はシート連携アプリ２０４又は２５４を介して、各荷重センサ１０２の検出値をサーバ又はクラウドに送信し、サーバ又はクラウドがそれに基づいて着座姿勢を判定し、その判定結果を制御部１１０、シート連携アプリ２０４又は２５４に返す。
【０１００】
また、以上の実施形態及び変形例では、シート状装置１００と、ＰＣ２００及び携帯端末２５０のシート連携アプリ２０４及び２５４が協働したが、これも本発明の具現化例の１つに過ぎない。この代わりに、例えば、シート状装置１００単体でも、本発明を具現化した一つのシステムとなり得る。この場合、制御部１１０が、ユーザの着座姿勢の種類を判定し、その判定の結果に応じて、シート状装置１００内のヒータ１０４ａ、１０４ｂ、エアバッグ１２０等の制御対象を制御する。また、シート状装置１００に、スピーカ等の情報報知用の装置を内蔵し、制御部１１０が悪い着座姿勢を検知した場合に、その旨をその報知用の装置によりユーザに報知してもよい。また、シート状装置１００とＰＣ２００のシート連携アプリ２０４との組合せも、本発明の具現化例としての１つのシステムとなる。また、シート状装置１００と携帯端末２５０のシート連携アプリ２０４の組合せ、シート状装置１００とインターネット上のサーバやクラウドとの組合せも同様である。
【０１０１】
また、以上の実施形態及び変形例では、シート状装置１００と、ＰＣ２００及び携帯端末２５０の相互の通信には、Bluetooth等の近接通信方式を用いたが、無線及び有線のＬＡＮや携帯電話通信規格等のようにもっと遠距離の通信が可能な方式を用いてもよい。
【０１０２】
なお、シート状装置１００とＰＣ２００や携帯端末２５０等の関連装置との間の通信に、特に遠距離の通信が可能な方式を用いる場合、関連装置がシート状装置１００と離れた位置にあっても、シート状装置１００による各荷重センサ１０２の検出値や着座姿勢の判定結果に応じて関連装置が動作する可能性がある。このようなシート状装置１００から離れた位置にある関連装置の動作は、ユーザにとって意味がない場合が多いと考えられる。そこで、ＧＰＳ（グローバル・ポジショニング・システム）、公知の屋内位置検知システム、無線等により装置間の距離を検出可能な公知の方式（例えばＢＬＥ（Bluetooth Low Energy））等により、シート状装置１００と関連装置との距離を求め、その距離が所定の閾値（例えば１メートル）以下である場合に、関連装置内のシート連携アプリ２０４又は２５４が動作するように制御してもよい。
【０１０３】
また以上の実施形態及び変形例で用いたシート状装置１００は、座部と背もたれ部が画定されていたが、これも一例に過ぎない。座部と背もたれ部の区別がなく、どちら向きに設置してもよいシート状装置１００も構成可能である。例えば、荷重センサ１０２やヒータ１０４ａ、１０４ｂ等を、シート状装置１００の長手方向についての二等分線に関して対称に配置する。例えば、図１に例示した（１）及び（２）番の荷重センサ１０２と、それらの間にあるヒータ１０４ａとの組を、二等分線に関して対称位置にもう一組配置する。これにより、その二等分線が椅子２０の座部２２と背もたれ２４の境界におおよそ位置するようにシート状装置１００を設置すれば、シート状装置１００の二等分線に関するどちらの側が座部２２に設置されても、上述の実施形態の制御が適用可能となる。なお、この場合、シート状装置１００のそれぞれの側が座部と背もたれのどちらに位置しているかを判定する必要があるが、これには、例えばそれら荷重センサ１０２のうち、荷重の検出値がある閾値（これは例えばユーザの体重を元に決めればよい）以上で最も大きいものがある組が、座部２２側に設置されていると判定すればよい。
【０１０４】
また、個別の複数の荷重センサ１０２の代わりに、シート状装置１００の大部分の領域をカバーする面積のシート状の圧力分布センサを用いることで、座部と背もたれ部の区別のないシート状装置１００を構成してもよい。着座状態では、姿勢の種類によらず座部に対する荷重（圧力）の方が背もたれに対する荷重（圧力）よりも顕著に大きい。そこで、例えば圧力分布センサにおいて他の部分よりも大きい圧力を検知した範囲が座部であると判定し、シート状装置１００のうちその範囲と対称位置にある圧力の小さい範囲を背もたれ部と判定すればよい。
【０１０５】
また以上の例では、ユーザの着座姿勢の種類の判定に荷重センサ１０２、圧力センサ、圧力分布センサを用いたが、他の種類のセンサを用いる例もあり得る。例えば、集中姿勢を他の着座姿勢と区別できればよいという用途であれば、荷重センサ１０２の代わりに、接触の有無を検知可能なセンサ（例えば接触センサ、スイッチ）を用いてもよい。この場合、座部に設けたセンサが接触を検知し、かつ背もたれ部に設けたセンサが接触を検知していない状態の場合、制御部１１０やシート連携アプリ２０４又は２５４は、ユーザの着座姿勢が集中姿勢であると判定する。逆に、座部と背もたれ部の両方のセンサが接触を検知している場合は、集中姿勢以外の姿勢であると判定する。
【符号の説明】
【０１０６】
１００  シート状装置、１０２     荷重センサ、１０４ａ，１０４ｂ  ヒータ、１１０  制御部、１１２  近接通信部、１２０  エアバッグ、２００  ＰＣ（パーソナルコンピュータ）、２０２  近接通信部、２０４  シート連携アプリ、２０６  メールクライアント、２０８  グループウエア、２５０  携帯端末、２５２  近接通信部、２５４  シート連携アプリ。
【図１】
2019130230.tif 000003
【図２】
2019130230.tif 000004
【図３】
2019130230.tif 000005
【図４】
2019130230.tif 000006
【図５】
2019130230.tif 000007
【図６】
2019130230.tif 000008
【図７】
2019130230.tif 000009
【図８】
2019130230.tif 000010
【図９】
2019130230.tif 000011